(57)【要約】【課題】座椅子の座部に設けられた揺動部を上下両方向に揺動させる角度調整金具を提供する。【解決手段】展開姿勢Ｐ０から折畳み一方向Ｃ１及び折畳み他方向Ｃ２に揺動可能として第１アーム１と第２アーム２を枢結し、折畳み一方向Ｃ１へ折畳んだ第１折畳姿勢Ｐ１から展開姿勢Ｐ０への揺動を複数段で規制するラチェット機構１０を設け、さらに、展開姿勢Ｐ０を越えて折畳み他方向Ｃ２へ折畳んだ第２折畳姿勢Ｐ２では展開方向Ｄ及び折畳み他方向Ｃ２のいずれへも自由に揺動可能とするフリー揺動機構１１を、設けている。【選択図】図１
2017063809.tif 000002
【特許請求の範囲】
【請求項１】
展開姿勢（Ｐ０）から折畳み一方向（Ｃ１）及び折畳み他方向（Ｃ２）に揺動可能として第１アーム（１）と第２アーム（２）を枢結し、
上記折畳み一方向（Ｃ１）へ折畳んだ第１折畳姿勢（Ｐ１）から上記展開姿勢（Ｐ０）への揺動を複数段で規制するラチェット機構（１０）を設け、さらに、上記展開姿勢（Ｐ０）を越えて上記折畳み他方向（Ｃ２）へ折畳んだ第２折畳姿勢（Ｐ２）では展開方向（Ｄ）及び折畳み他方向（Ｃ２）のいずれへも自由に揺動可能とするフリー揺動機構（１１）を、設けたことを特徴とする角度調整金具。
【請求項２】
展開姿勢（Ｐ０）から折畳み一方向（Ｃ１）及び折畳み他方向（Ｃ２）に揺動可能として第１アーム（１）と第２アーム（２）を枢結し、
上記第２アーム（２）の円弧状外周縁部（３）の一部に形成された複数のラチェット歯（４）と、弾発部材（９）により弾発付勢されて上記ラチェット歯（４）に噛合可能なラチェット爪（６）と、上記ラチェット爪（６）を上記ラチェット歯（４）に対して噛合状態と非噛合状態に切換えるカム板（７）とを、具備し、
上記折畳み一方向（Ｃ１）へ折畳んだ第１折畳姿勢（Ｐ１）では、上記ラチェット歯（４）と上記ラチェット爪（６）の噛合によって、上記展開姿勢（Ｐ０）への揺動を所定の小角度（β）毎に複数段で規制し、上記折畳み一方向（Ｃ１）へ所定のロック解除角度（θ）まで折畳むと、上記カム板（７）によって、上記ラチェット爪（６）と上記ラチェット歯（４）を非噛合状態として上記規制が解除され、
上記展開姿勢（Ｐ０）を越えて上記折畳み他方向（Ｃ２）へ折畳んだ第２折畳姿勢（Ｐ２）では、上記ラチェット爪（６）が上記外周縁部（３）に摺接して、上記ロック解除角度（θ）以上のフリー角度範囲（α）にわたって、展開方向（Ｄ）及び折畳み他方向（Ｃ２）のいずれへも自由に揺動可能としたことを特徴とする角度調整金具。
【請求項３】
座部（３３）と背部（３４）を備える座椅子に於て、
左右一方の第１角度調整金具（３１）と左右他方の第２角度調整金具（３２）によって上下揺動可能として、揺動部（３５）が、上記座部（３３）の前縁側に設けられ、
上記第１角度調整金具（３１）は、上記揺動部（３５）が上方へ揺動した上傾姿勢（Ｅ）から展開姿勢（Ｇ）への揺動を複数段で規制し、下方へ揺動した下傾姿勢（Ｆ）では上下両方向へ自由に揺動可能とし、
上記第２角度調整金具（３２）は、上記揺動部（３５）が上方へ揺動した上傾姿勢（Ｅ）では上下両方向へ自由に揺動可能とし、下方へ揺動した下傾姿勢（Ｆ）から上記展開姿勢（Ｇ）への揺動を複数段で規制するよう構成されたことを特徴とする座椅子。
【発明の詳細な説明】
【技術分野】
【０００１】
本発明は、角度調整金具及び座椅子に関する。
【背景技術】
【０００２】
従来、座部の前縁側に揺動部を備えた座椅子に於て、揺動部の傾斜角度を調節するために、ラチェット機構を有する角度調整金具が設けられている（特許文献１参照）。
【先行技術文献】
【特許文献】
【０００３】
【特許文献１】特開２００２−３４７０２号公報
【発明の概要】
【発明が解決しようとする課題】
【０００４】
しかし、特許文献１記載の座椅子は、角度調整金具（ラチェット機構）の取付方向によって、揺動部を展開姿勢から上方へ揺動させるか、あるいは、下方へ揺動させるか、どちらか一方しか選択できないという欠点があった。即ち、１種類の角度調整金具をもって、座部の前縁側に設けられた揺動部を上下両方向に揺動させることはできなかった。
【０００５】
そこで、本発明は、座椅子の座部に設けられた揺動部を上下両方向に揺動させる角度調整金具を提供することを目的とする。
【課題を解決するための手段】
【０００６】
本発明に係る角度調整金具は、展開姿勢から折畳み一方向及び折畳み他方向に揺動可能として第１アームと第２アームを枢結し、上記折畳み一方向へ折畳んだ第１折畳姿勢から上記展開姿勢への揺動を複数段で規制するラチェット機構を設け、さらに、上記展開姿勢を越えて上記折畳み他方向へ折畳んだ第２折畳姿勢では展開方向及び折畳み他方向のいずれへも自由に揺動可能とするフリー揺動機構を、設けたものである。
【０００７】
また、展開姿勢から折畳み一方向及び折畳み他方向に揺動可能として第１アームと第２アームを枢結し、上記第２アームの円弧状外周縁部の一部に形成された複数のラチェット歯と、弾発部材により弾発付勢されて上記ラチェット歯に噛合可能なラチェット爪と、上記ラチェット爪を上記ラチェット歯に対して噛合状態と非噛合状態に切換えるカム板とを、具備し、上記折畳み一方向へ折畳んだ第１折畳姿勢では、上記ラチェット歯と上記ラチェット爪の噛合によって、上記展開姿勢への揺動を所定の小角度毎に複数段で規制し、上記折畳み一方向へ所定のロック解除角度まで折畳むと、上記カム板によって、上記ラチェット爪と上記ラチェット歯を非噛合状態として上記規制が解除され、上記展開姿勢を越えて上記折畳み他方向へ折畳んだ第２折畳姿勢では、上記ラチェット爪が上記外周縁部に摺接して、上記ロック解除角度以上のフリー角度範囲にわたって、展開方向及び折畳み他方向のいずれへも自由に揺動可能としたものである。
【０００８】
また、本発明に係る座椅子は、座部と背部を備える座椅子に於て、左右一方の第１角度調整金具と左右他方の第２角度調整金具によって上下揺動可能として、揺動部が、上記座部の前縁側に設けられ、上記第１角度調整金具は、上記揺動部が上方へ揺動した上傾姿勢から展開姿勢への揺動を複数段で規制し、下方へ揺動した下傾姿勢では上下両方向へ自由に揺動可能とし、上記第２角度調整金具は、上記揺動部が上方へ揺動した上傾姿勢では上下両方向へ自由に揺動可能とし、下方へ揺動した下傾姿勢から上記展開姿勢への揺動を複数段で規制するよう構成されたものである。
【発明の効果】
【０００９】
本発明の角度調整金具によれば、第１アームと第２アームを展開姿勢から折畳み一方向及び折畳み他方向に揺動でき、折畳み一方向へ折畳んだ第１折畳姿勢では、ラチェット機構（ラチェット歯とラチェット爪の噛合）によって、展開姿勢への揺動を複数段で規制でき、展開姿勢を越えて折畳み他方向へ折畳んだ第２折畳姿勢では、フリー揺動機構（ラチェット爪と外周縁部の摺接）によって、展開方向及び折畳み他方向のいずれへも自由に揺動できる。従って、座部の前縁側に揺動部を備えた座椅子に於て、揺動部を連結するのに好適に用いられ、１種類を左右で上下逆さまに取付けて、揺動部を上下両方向に揺動させることができる。
【００１０】
本発明の座椅子によれば、揺動部の上傾姿勢では、第１角度調整金具によって、揺動部の傾斜角度を調節でき、また、揺動部の下傾姿勢では、第２角度調整金具によって、揺動部の傾斜角度を調節できる。第１角度調整金具と第２角度調整金具は、同じ種類のものを左右逆さまに取付けることで、使い分けることができ、簡単かつ安価に製造できる。座る者の好みに応じて、揺動部を上方へ揺動させるか、あるいは、下方へ揺動させるか、自由に選択することができ、座る者の尻が座部の前縁側に滑るのを防止でき、さらに、リラックスした姿勢でくつろぐことができる。
【図面の簡単な説明】
【００１１】
【図１】本発明に係る角度調整金具の実施の一形態を示した断面側面図であり、（Ａ）は座椅子の左右一方に配設された角度調整金具の断面側面図であり、（Ｂ）は座椅子の左右他方に配設された角度調整金具の断面側面図である。
【図２】本発明の角度調整金具を示した断面側面図であり、（Ａ）は座椅子の左右一方に配設された角度調整金具の断面側面図であり、（Ｂ）は座椅子の左右他方に配設された角度調整金具の断面側面図である。
【図３】本発明の角度調整金具を示した断面側面図であり、（Ａ）は座椅子の左右一方に配設された角度調整金具の断面側面図であり、（Ｂ）は座椅子の左右他方に配設された角度調整金具の断面側面図である。
【図４】本発明の角度調整金具を示した断面側面図であり、（Ａ）は座椅子の左右一方に配設された角度調整金具の断面側面図であり、（Ｂ）は座椅子の左右他方に配設された角度調整金具の断面側面図である。
【図５】本発明の角度調整金具を示した断面側面図であり、（Ａ）は座椅子の左右一方に配設された角度調整金具の断面側面図であり、（Ｂ）は座椅子の左右他方に配設された角度調整金具の断面側面図である。
【図６】本発明の角度調整金具を示した断面側面図であり、（Ａ）は座椅子の左右一方に配設された角度調整金具の断面側面図であり、（Ｂ）は座椅子の左右他方に配設された角度調整金具の断面側面図である。
【図７】本発明の座椅子の実施の一形態を示した斜視図である。
【図８】本発明の座椅子のフレーム部を示す斜視図である。
【図９】本発明の座椅子の作用を説明するための簡略線図である。
【図１０】本発明の座椅子の使用状態を示す側面図である。
【図１１】本発明の座椅子の使用状態を示す側面図である。
【発明を実施するための形態】
【００１２】
以下、実施の形態を示す図面に基づき本発明を詳説する。
図７と図８に示すように、本発明の角度調整金具３１，３２は、座部３３と背部３４を備える座椅子に用いられ、座部３３の座フレーム部３３Ａと揺動部３５の揺動フレーム部３５Ａの連結部に、左右で上下逆さまに第１角度調整金具３１・第２角度調整金具３２が取付けられている。図１〜図６は、左右に配設した第１角度調整金具３１・第２角度調整金具３２が、座椅子フレーム部（揺動フレーム部３５Ａ）にて連動連結されて同期的に作動する様子を示す側面図である。
図１に示すように、本発明の角度調整金具は、展開姿勢Ｐ０から折畳み一方向Ｃ１及び折畳み他方向Ｃ２に揺動可能として、第１アーム１と第２アーム２が枢結されている。
第１アーム１は、座椅子の座フレーム部３３Ａと揺動フレーム部３５Ａに内嵌状に差込可能な円筒状の取付部１２と、取付部１２に連結された一対の側壁部１３，１３とを、有している。
第２アーム２は、座椅子の座フレーム部３３Ａと揺動フレーム部３５Ａに内嵌状に差込可能な円筒状の取付部２１と、取付部２１に連結された一対の円盤部２０，２０とを、有し、円盤部２０は、円弧状外周縁部３に複数のラチェット歯４が形成されている。なお、円盤部２０の外周縁部３は、ラチェット歯４が形成された箇所を除いて、歯の無い弯曲状に形成される。具体的に、このような弯曲状について追加説明すると、その大部分がラチェット歯４の頂部と同一の曲率半径の円弧状に形成され、後述のように展開姿勢Ｐ０（図４参照）から折畳み他方向Ｃ２に揺動する際にラチェット爪６が摺接を開始する箇所が、局所的に曲率半径が小さく設定されて、ラチェット歯４の頂部の円弧上より内側に絞られている。この構成により、外周縁部３に対しラチェット爪６がスムーズに摺接を開始することができる。
第２アーム２の円盤部２０，２０が第１アーム１の側壁部１３，１３間に差し込まれた状態で、枢結軸１５によって、第１アーム１と第２アーム２が揺動軸心Ｌ廻りに揺動自在に枢結されている。枢結軸１５は、円盤部２０，２０間の空間部に於て、カム板７を遊嵌状に保持している。第２アーム２は、円盤部２０，２０の内面に、カム板７を押圧するための小突起２３が設けられている。カム板７は、小突起２３を受ける押込突片１４と押出段部１６を有している。
【００１３】
図１（Ａ）と図２（Ａ）に示すように、本発明の角度調整金具は、折畳み一方向Ｃ１へ折畳んだ第１折畳姿勢Ｐ１から展開姿勢Ｐ０への揺動を複数段で規制するラチェット機構１０が設けられている。
ラチェット機構１０は、第２アーム２の円弧状外周縁部３の一部に形成された複数のラチェット歯４と、ラチェット歯４に噛合可能なラチェット爪６と、から成り、ラチェット歯４とラチェット爪６の噛合によって、第２アーム２の展開姿勢Ｐ０への揺動を所定の小角度β毎に複数段で規制している。
ラチェット爪６は、第１アーム１の側壁部１３，１３間にて回転自在に枢支され、捩じりバネから成る弾発部材９によって、円弧状外周縁部３（ラチェット歯４）に押し付ける方向に弾発付勢されている。ラチェット爪６は、第１アーム１と第２アーム２を折畳み一方向Ｃ１へ所定のロック解除角度θまで折畳むと（図３参照）、カム板７によって、ラチェット歯４に対して非噛合状態に切換えられる。なお、弾発部材９は、捩じりバネ以外のものを用いても良い。
【００１４】
図１（Ｂ）と図２（Ｂ）に示すように、本発明の角度調整金具は、展開姿勢Ｐ０から折畳み他方向Ｃ２へ折畳んだ第２折畳姿勢Ｐ２では、展開方向Ｄ及び折畳み他方向Ｃ２のいずれへも自由に揺動可能とするフリー揺動機構１１が設けられている。
フリー揺動機構１１は、第２アーム２の円弧状外周縁部３と、ラチェット爪６と、から成り、ラチェット爪６が外周縁部３に摺接することで、第１アーム１と第２アーム２が、折畳み他方向Ｃ２、及び、展開方向Ｄのいずれへも自由に揺動する。第２折畳姿勢Ｐ２で、第１アーム１と第２アーム２は、展開姿勢Ｐ０から折畳み他方向Ｃ２へフリー角度範囲αにわたって揺動可能であって、第１折畳姿勢Ｐ１での展開姿勢Ｐ０から折畳み一方向Ｃ１へのロック解除角度θにわたる可動域よりも、フリー角度範囲αが大きく設定されている（図３（Ａ）と図６（Ａ）参照）。
【００１５】
ラチェット歯４は、揺動軸心Ｌを中心とする円弧状外周縁部３に、中心角が３０°〜１１０°の範囲内に、ラチェット爪６と噛合し得るピッチで形成されている。ラチェット歯４は、図１（Ａ）に於ける反時計方向に傾斜しており、ラチェット爪６との噛合状態で、第２アーム２の折畳み一方向Ｃ１（図中上方）への揺動を可能とし、展開方向（図中下方）への揺動を所定の小角度β毎に複数段で規制している。なお、ラチェット歯４は、本数は図例に限定されることなく、自由に増減させて設定変更することができ、小角度βの大きさは、１０°〜２０°に設定するのが好ましい。より好ましくは、小角度βを１５°〜１８°に設定する。
【００１６】
上述した本発明の角度調整金具の使用方法（作用）について説明する。
図１（Ａ）から図２（Ａ）に示すように、第１折畳姿勢Ｐ１では、第１アーム１と第２アーム２を折畳み一方向Ｃ１へ揺動させようとすると、ラチェット爪６は、弾発部材９の弾発力に抗してラチェット歯４から離脱する方向に揺動し、ラチェット歯４を次々と乗り越えていく。第１折畳姿勢Ｐ１で第２アーム２を展開姿勢Ｐ０へ揺動（逆揺動）させようとすると、ラチェット歯４とラチェット爪６の噛合によって、展開姿勢Ｐ０への揺動を所定の小角度β毎に複数段で規制する。なお、図１（Ｂ）と図２（Ｂ）に於て、第１アーム１と第２アーム２が展開姿勢Ｐ０から折畳み他方向Ｃ２へ揺動して、第２折畳姿勢Ｐ２となり、展開方向Ｄ及び折畳み他方向Ｃ２のいずれへも自由に揺動する。
【００１７】
図３（Ａ）に示すように、折畳み一方向Ｃ１へ所定のロック解除角度θまで折畳むと、第２アーム２の小突起２３が、カム板７の押込突片１４を押圧し、カム板７がラチェット爪６を押してラチェット歯４から離脱する方向に揺動させる。ラチェット爪６は、カム板７の上に乗り上げて係止し、ラチェット爪６とラチェット歯４は非噛合状態となる。このようにして、ラチェット爪６とラチェット歯４が非噛合状態に保持されて、ラチェット機構１０（ラチェット爪６とラチェット歯４）による規制が解除され、展開姿勢Ｐ０への揺動が可能となる。
次に、図４（Ａ）のように、矢印Ｄで示す展開方向へ揺動させ展開姿勢Ｐ０とすると、小突起２３がカム板７の押出段部１６を押圧し、カム板７が回転して、ラチェット爪６との係止状態を解消する。ラチェット爪６は、ラチェット歯４には噛合せず、弾発部材９の弾発力をもって第２アーム２の円弧状外周縁部３（ラチェット歯４の無い箇所）に押し付けられる。
なお、図３（Ｂ）と図４（Ｂ）に於て、ラチェット爪６は外周縁部３に摺接しており、依然として展開方向Ｄ及び折畳み他方向Ｃ２のいずれへも自由に揺動可能な状態である。
【００１８】
図５（Ａ）に示すように、展開姿勢Ｐ０を越えて折畳み他方向Ｃ２へ折畳んだ第２折畳姿勢Ｐ２では、ラチェット爪６が外周縁部３に摺接して、展開方向Ｄ及び折畳み他方向Ｃ２のいずれへも自由に揺動可能となる。
一方、図５（Ｂ）では、展開姿勢Ｐ０を越えて折畳み一方向Ｃ１へ折畳まれて第１折畳姿勢Ｐ１となり、ラチェット爪６とラチェット歯４は噛合状態となる。ラチェット爪６とラチェット歯４が噛合状態となると、展開姿勢Ｐ０への揺動が規制される。
【００１９】
図６（Ａ）に示すように、第２折畳姿勢Ｐ２で、第１アーム１と第２アーム２は、ロック解除角度θ（図３（Ａ）参照）以上のフリー角度範囲αにわたって、展開方向Ｄ及び折畳み他方向Ｃ２のいずれへも自由に揺動する。
図６（Ｂ）では、他の角度調整金具が折畳み一方向Ｃ１へ所定のロック解除角度θまで折畳まれて、第２アーム２の小突起２３が、カム板７の押込突片１４を押圧し、カム板７によって、ラチェット爪６はラチェット歯４に対して非噛合状態となる。ラチェット爪６とラチェット歯４が非噛合状態となると、展開方向Ｄへの揺動規制が解除され、展開姿勢Ｐ０への揺動が可能となる。
【００２０】
次に、本発明の座椅子について説明する。
図７に示すように、本発明の座椅子は、座部３３と背部３４を備え、座部３３の前縁側に上下揺動可能として揺動部３５が設けられている。
図８は、座椅子のフレーム部を示し、座部３３の座フレーム部３３Ａと揺動部３５の揺動フレーム部３５Ａの連結部には、左右一方の第１角度調整金具３１と左右他方の第２角度調整金具３２が取着されている。即ち、揺動部３５（揺動フレーム部３５Ａ）は、第１角度調整金具３１と第２角度調整金具３２によって、座部３３（座フレーム部３３Ａ）に対し上下揺動可能に連結されている。なお、座部３３（座フレーム部３３Ａ）と背部３４（背フレーム部３４Ａ）は、前後に角度調整自在として関節金具によって連結されている。
第１角度調整金具３１と第２角度調整金具３２は、同一の構成・機能を有し、上述したように、左右で上下逆さまに取付けることで、揺動部３５の展開姿勢Ｇへの揺動を複数段で規制するラチェット機構が、上傾姿勢Ｅ及び下傾姿勢Ｆの両方で作用を発揮し、揺動部３５を上下揺動可能とするものである。
【００２１】
図９に示すように、第１角度調整金具３１は、揺動部３５が上方へ揺動した上傾姿勢Ｅでは、揺動部３５の上方への揺動を可能とし、展開姿勢Ｇへの揺動を所定の小角度β毎に複数段で規制する。揺動部３５を所定のロック解除角度θまで上方へ揺動させると、規制が解除されて、展開姿勢Ｇへの揺動が可能となるように構成されている。また、揺動部３５が展開姿勢Ｇを越えて、さらに下方へ揺動した下傾姿勢Ｆでは、上下両方向へ自由に揺動可能となり、この時のフリー角度範囲αは、ロック解除角度θより大きく設定されている。
一方、第２角度調整金具３２は、揺動部３５が上方へ揺動した上傾姿勢Ｅでは、上下両方向へフリー角度範囲αにわたって自由に揺動可能であり、揺動部３５が展開姿勢Ｇを越えて下方へ揺動した下傾姿勢Ｆでは、展開姿勢Ｇへの揺動を所定の小角度β毎に複数段で規制するよう構成されている。揺動部３５を所定のロック解除角度θまで下方へ揺動させると、規制が解除されて、展開姿勢Ｇへの揺動が可能となる。
【００２２】
図１０に於て、本発明の座椅子の座部３３を床に接地して、揺動部３５を上傾姿勢Ｅとして保持した状態を示す。揺動部３５は、左右一方の第１角度調整金具３１によって、展開姿勢Ｇへの揺動が規制される。座椅子に座る者は、背部３４を大きく後ろに倒して腰を座部３３に乗せて寝ころんだ姿勢となっても、揺動部３５により尻が座部３３の前縁側に滑るのを防止され、リラックスした姿勢でくつろぐことができる。
また、図１１では、揺動部３５を下傾姿勢Ｆとして、揺動部３５の前端を床に接しさせて、座部３３全体に傾斜を生じさせる。揺動部３５は、左右他方の第２角度調整金具３２によって、展開姿勢Ｇへの揺動が規制される。座椅子に座る者は、背部３４を大きく後ろに倒して寝ころんだ姿勢で、足を伸ばして、よりリラックスした姿勢でくつろぐことができる。
【００２３】
なお、本発明は、設計変更可能であって、例えば、座椅子のデザインは、自由に変更できる。
【００２４】
以上のように、本発明に係る角度調整金具は、展開姿勢Ｐ０から折畳み一方向Ｃ１及び折畳み他方向Ｃ２に揺動可能として第１アーム１と第２アーム２を枢結し、上記折畳み一方向Ｃ１へ折畳んだ第１折畳姿勢Ｐ１から上記展開姿勢Ｐ０への揺動を複数段で規制するラチェット機構１０を設け、さらに、上記展開姿勢Ｐ０を越えて上記折畳み他方向Ｃ２へ折畳んだ第２折畳姿勢Ｐ２では展開方向Ｄ及び折畳み他方向Ｃ２のいずれへも自由に揺動可能とするフリー揺動機構１１を、設けたので、第１アーム１と第２アーム２を展開姿勢Ｐ０から折畳み一方向Ｃ１及び折畳み他方向Ｃ２に揺動でき、折畳み一方向Ｃ１へ折畳んだ第１折畳姿勢Ｐ１では、ラチェット機構１０によって、展開姿勢Ｐ０への揺動を複数段で規制でき、展開姿勢Ｐ０を越えて折畳み他方向Ｃ２へ折畳んだ第２折畳姿勢Ｐ２では、フリー揺動機構１１によって、展開方向Ｄ及び折畳み他方向Ｃ２のいずれへも自由に揺動できる。従って、座部３３の前縁側に揺動部３５を備えた座椅子に於て、揺動部３５を連結するのに好適に用いられ、１種類を左右で上下逆さまに取付けて、揺動部３５を上下両方向に揺動させることができる。
【００２５】
また、展開姿勢Ｐ０から折畳み一方向Ｃ１及び折畳み他方向Ｃ２に揺動可能として第１アーム１と第２アーム２を枢結し、上記第２アーム２の円弧状外周縁部３の一部に形成された複数のラチェット歯４と、弾発部材９により弾発付勢されて上記ラチェット歯４に噛合可能なラチェット爪６と、上記ラチェット爪６を上記ラチェット歯４に対して噛合状態と非噛合状態に切換えるカム板７とを、具備し、上記折畳み一方向Ｃ１へ折畳んだ第１折畳姿勢Ｐ１では、上記ラチェット歯４と上記ラチェット爪６の噛合によって、上記展開姿勢Ｐ０への揺動を所定の小角度β毎に複数段で規制し、上記折畳み一方向Ｃ１へ所定のロック解除角度θまで折畳むと、上記カム板７によって、上記ラチェット爪６と上記ラチェット歯４を非噛合状態として上記規制が解除され、上記展開姿勢Ｐ０を越えて上記折畳み他方向Ｃ２へ折畳んだ第２折畳姿勢Ｐ２では、上記ラチェット爪６が上記外周縁部３に摺接して、上記ロック解除角度θ以上のフリー角度範囲αにわたって、展開方向Ｄ及び折畳み他方向Ｃ２のいずれへも自由に揺動可能としたので、第１アーム１と第２アーム２を展開姿勢Ｐ０から折畳み一方向Ｃ１及び折畳み他方向Ｃ２に揺動でき、折畳み一方向Ｃ１へ折畳んだ第１折畳姿勢Ｐ１では、ラチェット歯４とラチェット爪６の噛合によって、展開姿勢への揺動を複数段で規制でき、展開姿勢Ｐ０を越えて折畳み他方向Ｃ２へ折畳んだ第２折畳姿勢Ｐ２では、ラチェット爪６と外周縁部３の摺接によって、展開方向Ｄ及び折畳み他方向Ｃ２のいずれへも自由に揺動できる。従って、座部３３の前縁側に揺動部３５を備えた座椅子に於て、揺動部３５を連結するのに好適に用いられ、１種類を左右で上下逆さまに取付けて、揺動部３５を上下両方向に揺動させることができる。
【００２６】
また、本発明に係る座椅子は、座部３３と背部３４を備える座椅子に於て、左右一方の第１角度調整金具３１と左右他方の第２角度調整金具３２によって上下揺動可能として、揺動部３５が、上記座部３３の前縁側に設けられ、上記第１角度調整金具３１は、上記揺動部３５が上方へ揺動した上傾姿勢Ｅから展開姿勢Ｇへの揺動を複数段で規制し、下方へ揺動した下傾姿勢Ｆでは上下両方向へ自由に揺動可能とし、上記第２角度調整金具３２は、上記揺動部３５が上方へ揺動した上傾姿勢Ｅでは上下両方向へ自由に揺動可能とし、下方へ揺動した下傾姿勢Ｆから上記展開姿勢Ｇへの揺動を複数段で規制するよう構成されたので、揺動部３５の上傾姿勢Ｅ（図１０参照）では、第１角度調整金具３１によって、揺動部３５の上傾姿勢Ｅから展開姿勢Ｇへの揺動を複数段で規制して傾斜角度を調節でき、また、揺動部３５の下傾姿勢Ｆ（図１１参照）では、第２角度調整金具３２によって、揺動部３５の下傾姿勢Ｆから展開姿勢Ｇへの揺動を複数段で規制して傾斜角度を調節できる。第１角度調整金具３１と第２角度調整金具３２は、同じ構成・機能のもの―――つまり、同一の金具―――を左右逆さまに取付けることで、使い分けることができ、簡単かつ安価に製造できる。座る者の好みに応じて、（図１０と図１１に例示したように）揺動部３５を上方へ揺動させるか、あるいは、下方へ揺動させるか、自由に選択することができ、座る者の尻が座部３３の前縁側に滑るのを防止でき、さらに、リラックスした姿勢でくつろぐことができる。
【符号の説明】
【００２７】
１  第１アーム
２  第２アーム
３  円弧状外周縁部
４  ラチェット歯
６  ラチェット爪
７  カム板
９  弾発部材
１０  ラチェット機構
１１  フリー揺動機構
３１  第１角度調整金具
３２  第２角度調整金具
３３  座部
３４  背部
３５  揺動部
Ｐ０  展開姿勢
Ｐ１  第１折畳姿勢
Ｐ２  第２折畳姿勢
Ｃ１  折畳み一方向
Ｃ２  折畳み他方向
Ｄ  展開方向
θ  ロック解除角度
α  フリー角度範囲
β  小角度
Ｅ  上傾姿勢
Ｇ  展開姿勢
Ｆ  下傾姿勢
【図１】
2017063809.tif 000003
【図２】
2017063809.tif 000004
【図３】
2017063809.tif 000005
【図４】
2017063809.tif 000006
【図５】
2017063809.tif 000007
【図６】
2017063809.tif 000008
【図７】
2017063809.tif 000009
【図８】
2017063809.tif 000010
【図９】
2017063809.tif 000011
【図１０】
2017063809.tif 000012
【図１１】
2017063809.tif 000013